(57)【要約】【課題】メス端子のバネ部を安全に保護しつつ、ボックス部を無くすことにより材料費などの削減を図ったコネクタ装置を提供する。【解決手段】オス端子３１を備えた第１コネクタ３０と、メス端子５を備えた第２コネクタ１とからなるコネクタ装置であり、メス端子５が、後端に、電線Ｗが接続される電線接続部２５を有すると共に、前端にタブ２１を有する電線側端子２０と、第２コネクタのハウジング１Ａの端子収容室２に予め収容され、前部に、後から挿入されて来たオス端子に弾性接触する第１バネ部１１を有すると共に、後部に、後から挿入されて来た電線側端子のタブに弾性接触する第２バネ部１２を有するバネ状端子１０と、に２分割されている。バネ状端子は、第１バネ部と第２バネ部を２つのへ字形の山部として構成した略Ｍ字形に形成されており、第１バネ部と第２バネ部が片端スライド式の両持バネとして端子収容室内に収容されている。【選択図】図２
2010092640.tif 000002
【特許請求の範囲】
【請求項１】
オス端子を備えた第１コネクタと、該第１コネクタと嵌合されることで、前記オス端子と電気接続されるメス端子を備えた第２コネクタと、からなるコネクタ装置において、
前記メス端子が、後端に、電線が接続される電線接続部を有すると共に、前端にタブを有する電線側端子と、前記第２コネクタのハウジングの端子収容室に予め収容され、前部に、後から挿入されて来た前記オス端子に弾性接触する第１バネ部を有すると共に、後部に、後から挿入されて来た前記電線側端子のタブに弾性接触する第２バネ部を有するバネ状端子と、に２分割されていることを特徴とするコネクタ装置。
【請求項２】
請求項１に記載のコネクタ装置であって、
前記バネ状端子が、前記第１バネ部と第２バネ部を２つのへ字形の山部として構成した略Ｍ字形に形成されており、第１バネ部と第２バネ部が、それら第１バネ部および第２バネ部の連結されている裾部を固定端とし、他の各裾部を前記端子収容室の内壁に沿ってスライド自在な自由端とした片端スライド式の両持バネとして、前記端子収容室内に収容されていることを特徴とするコネクタ装置。
【請求項３】
請求項２に記載のコネクタ装置であって、
前記第１バネ部が、該第１バネ部の頂点と前記端子収容室の内壁との間に、後から挿入されて来た前記オス端子を挟持し、前記第２バネ部が、該第２バネ部の頂点と前記端子収容室の内壁との間に、後から挿入されて来た前記電線側端子のタブを挟持するように構成されていることを特徴とするコネクタ装置。
【発明の詳細な説明】
【技術分野】
【０００１】
本発明は、オス端子を備えた第１コネクタとメス端子を備えた第２コネクタとの組み合わせからなるコネクタ装置に関するものである。
【背景技術】
【０００２】
一般に、コネクタハウジングに収容するメス端子は、先端にオス端子を受け入れるための角筒状のボックス部を有しており、そのボックス部の内部にバネ部を有している（例えば、特許文献１参照）。そして、ボックス部でバネ部を覆うことによって、取り扱い時などにバネ部が損傷しないように保護している。
【特許文献１】特開２００３−５９５６５号公報
【発明の開示】
【発明が解決しようとする課題】
【０００３】
ところで、材料費などの削減のためにメス端子のボックス部を無くそうとする試みがあるが、ボックス部を単純に無くした場合、バネ部が剥き出しになってしまい、バネ部の保護ができなくなるおそれがある。
【０００４】
本発明は、上記事情を考慮し、メス端子のバネ部を安全に保護しつつ、ボックス部を無くすことにより材料費などの削減を図ったコネクタ装置を提供することを目的とする。
【課題を解決するための手段】
【０００５】
請求項１の発明は、オス端子を備えた第１コネクタと、該第１コネクタと嵌合されることで、前記オス端子と電気接続されるメス端子を備えた第２コネクタと、からなるコネクタ装置において、前記メス端子が、後端に、電線が接続される電線接続部を有すると共に、前端にタブを有する電線側端子と、前記第２コネクタのハウジングの端子収容室に予め収容され、前部に、後から挿入されて来た前記オス端子に弾性接触する第１バネ部を有すると共に、後部に、後から挿入されて来た前記電線側端子のタブに弾性接触する第２バネ部を有するバネ状端子と、に２分割されていることを特徴とする。
【０００６】
請求項２の発明は、請求項１に記載のコネクタ装置であって、前記バネ状端子が、前記第１バネ部と第２バネ部を２つのへ字形の山部として構成した略Ｍ字形に形成されており、第１バネ部と第２バネ部が、それら第１バネ部および第２バネ部の連結されている裾部を固定端とし、他の各裾部を前記端子収容室の内壁に沿ってスライド自在な自由端とした片端スライド式の両持バネとして、前記端子収容室内に収容されていることを特徴とする。
【０００７】
請求項３の発明は、請求項２に記載のコネクタ装置であって、前記第１バネ部が、該第１バネ部の頂点と前記端子収容室の内壁との間に、後から挿入されて来た前記オス端子を挟持し、前記第２バネ部が、該第２バネ部の頂点と前記端子収容室の内壁との間に、後から挿入されて来た前記電線側端子のタブを挟持するように構成されていることを特徴とする。
【発明の効果】
【０００８】
請求項１の発明によれば、予めバネ状端子を組み込んである第２コネクタのハウジングの端子収容室の後部に電線側端子のタブを差し込むことにより、電線側端子とバネ状端子を弾性接触させ、電線側端子とバネ状端子を電気的に接続することができ、それにより、電線側端子とバネ状端子とでメス端子を構成することができる。従って、あとは第２コネクタと第１コネクタを嵌合させ、第１コネクタ側のオス端子を第２コネクタの端子収容室の前部に挿入させることにより、オス端子とバネ状端子の第１バネ部を弾性接触させ、メス端子とオス端子を電気的に接続することができる。
【０００９】
この場合、メス端子を、バネ部品（バネ状端子）と電線接続部品（電線側端子）の２部品に分割しており、電線を接続する対象の部品をバネ部品から切り離した電線側端子としているので、電線を接続する時期に関係なく、予め先にバネ状端子（バネ部品）を第２コネクタのハウジングの内部に組み込んでおくことができる。即ち、コネクタハウジングの成形時にインサート成形によってバネ状端子を端子収容室に組み込んでおくこともできるし、コネクタハウジングの成形後の適当な時期にバネ状端子を端子収容室の中に圧入により組み込んでおくこともできる。
【００１０】
従って、早い段階からコネクタハウジングの中にバネ状端子を組み込んで、コネクタハウジングで保護しておくことができるので、バネ部分を保護するための従来のメス端子のボックス部を不要にすることができ、ボックス部を作製するための材料費や加工コストを削減することができる。
【００１１】
また、電線側端子にはバネ構造が不要となるため、組立工程などにおいて、バネ部分に電線を引っ掛けたりバネ部分を潰したりする心配がない。特に電線側端子の先端は、オス端子と同様なタブを有するだけの単純な構造であるため、従来のボックス部があるときのように潰したり変形を起こしたりする心配がなく、端子の管理が容易にできる。
【００１２】
請求項２の発明によれば、バネ状端子が略Ｍ字形の単純な形状に形成されているので、安価に製作することができる。また、第１バネ部と第２バネ部が、片端スライド式の両持バネとして端子収容室内に収容されているので、強いバネ荷重を発生することができ、電線側端子およびオス端子との電気接触性能を良好に保つことができる。また、バネ状端子は、第１バネ部と第２バネ部の連結されている裾部を固定するだけでよいので、組み付けが簡単である。
【００１３】
請求項３の発明によれば、オス端子と電線側端子を各バネ部の頂点と端子収容室の内壁との間に挟持するようにしているので、バネ状端子とオス端子および電線側端子との電気接触の安定を図ることができる。
【発明を実施するための最良の形態】
【００１４】
以下、本発明の実施形態を図面を参照して説明する。
【００１５】
図１は実施形態のコネクタ装置の第２コネクタ側の組立前の構成を示す側断面図、図２は実施形態のコネクタ装置を嵌合しようとしている状態を示す側断面図、図３は第２コネクタの外観斜視図で、図３（ａ）は前面側、図３（ｂ）は後面側の構成を示す斜視図である。
【００１６】
このコネクタ装置は、図２に示すように、オス端子３１を備えた第１コネクタ３０と、第１コネクタ３０と嵌合されることで、オス端子３１と電気接続されるメス端子５を備えた第２コネクタ１と、から構成されている。
【００１７】
第１コネクタ３０は、第１コネクタハウジング３０Ａにオス端子３１を組み付けることで構成され、第２コネクタ１は、第２コネクタハウジング１Ａの端子収容室２にメス端子５を組み付け、更に第２コネクタハウジング１Ａの後端にリヤホルダ４０を組み付けることで構成されている。
【００１８】
第２コネクタハウジング１Ａは、図３に示すように、縦横に多数の端子収容室２を配列したもので、各端子収容室２は、前端にオス端子３１の挿入孔３を有すると共に、後端にメス端子５の挿入孔４を有している。
【００１９】
この場合のメス端子５は、図１に示すように、バネ状端子１０と電線側端子２０の２つの部品に分割されており、電線側端子２０は、後端に、電線Ｗが接続される電線接続部２５を有すると共に、前端にタブ２１を有している。
【００２０】
電線接続部２５としては、前側に、電線Ｗの先端の露出導体Ｗａを固定するための導体接続部２３が設けられ、後側に、被覆Ｗｂを有した部分を固定する被覆接続部２４が設けられている。また、電線Ｗを接続した状態で、電線側端子２０の後端には、コネクタハウジング１Ａと電線Ｗの隙間をシールするゴム栓２８が取り付けられている。
【００２１】
また、バネ状端子１０は、第２コネクタハウジング１Ａの端子収容室２に予め収容されており、前部に、後から挿入されて来たオス端子３１に弾性接触する第１バネ部１１を有すると共に、後部に、後から挿入されて来た電線側端子２０のタブ２１に弾性接触する第２バネ部１２を有している。
【００２２】
バネ状端子１０は、第１バネ部１１と第２バネ部１２を２つのへ字形の山部として構成した略Ｍ字形に形成されている。第１バネ部１１と第２バネ部１２は、それら第１バネ部１１および第２バネ部１２の連結されている裾部１１ｃ、１２ａを固定端とし、他の各裾部１１ａ、１２ｃを端子収容室２の底壁（内壁）２ａに沿ってスライド自在な自由端とした片端スライド式の両持バネとして端子収容室２内に収容されており、第１バネ部１１と第２バネ部１２の各頂点１１ｂ、１２ｂが、後から挿入されて来たオス端子３１と電線側端子２０とに押圧接触するように構成されている。
【００２３】
特に第２バネ部１２は、該第２バネ部１２の頂点１２ｂと端子収容室２の天井壁（内壁）２ｂとの間に、後から挿入されて来た電線側端子２０のタブ２１を挟持するように構成されている。
【００２４】
第２コネクタ１を組み立てる場合は、早い段階で第２コネクタハウジング１Ａの中にバネ状端子１０を組み込んでおく。そうすることにより、バネ状端子１０を第２コネクタハウジング１Ａによって保護することができるからである。バネ状端子１０は、第２コネクタハウジング１Ａの成形時にインサート成形によって組み込んでおくこともできるし、第２コネクタハウジング１Ａの成形後の適当な時期に端子収容室２の中に圧入により組み込んでおくこともできる。
【００２５】
次に、電線Ｗの先端を電線側端子２０の電線接続部２５に接続し、ゴム栓２８を後端に取り付けた上で、電線側端子２０を端子収容室２の中に後端の挿入孔４より挿入する。すると、予め端子収容室２内に収容してあるバネ状端子１０の第２バネ部１２の頂点１２ｂと端子収容室２の天井壁２ｂとの隙間に電線側端子２０のタブ２１が進入し、タブ２１はここで第２バネ部１２の頂点１２ｂと端子収容室２の天井壁２ｂとの間に挟持される。このように電線側端子２０とバネ状端子１０とが弾性接触することで、電線側端子２０とバネ状端子１０とが電気的に接続され、それにより、電線側端子２０とバネ状端子１０とでメス端子５が構成される。
【００２６】
そして、電線側端子２０の後端のゴム栓２８を端子収容室２の内部に圧入し、全部のメス端子５の組み付けが終わった段階で、リヤホルダ４０を第２コネクタ１の後端に装着して、ゴム栓２８の抜け止めを行うことにより、図２に示すように第２コネクタ１が構成される。
【００２７】
あとは、通常のコネクタのように、第２コネクタ１と第１コネクタ３０を嵌合させ、第１コネクタ３０側のオス端子３１を第２コネクタ１の端子収容室２の前部の挿入孔３から挿入させることにより、オス端子３１とバネ状端子１０の第１バネ部１１を弾性接触させることができ、それによりメス端子５とオス端子３１を電気的に接続することができる。
【００２８】
以上説明した実施形態のコネクタ装置によれば、メス端子５を、バネ部品（バネ状端子１０）と電線接続部品（電線側端子２０）の２部品に分割しており、電線Ｗを接続する対象の部品をバネ部品から切り離した電線側端子２０としているので、電線を接続する時期に関係なく、予め先にバネ状端子（バネ部品）１０を第２コネクタ１の第２コネクタハウジング１Ａの内部に組み込んでおくことができる。即ち、上述したように、第２コネクタハウジング１Ａの成形時にインサート成形によってバネ状端子１０を端子収容室２に組み込んでおくこともできるし、第２コネクタハウジング１Ａの成形後の適当な時期にバネ状端子１０を端子収容室２の中に圧入により組み込んでおくこともできる。
【００２９】
従って、早い段階から第２コネクタハウジング１Ａの中にバネ状端子１０を組み込んで、コネクタハウジング１Ａによって保護しておくことができるので、バネ部分を保護するための従来のメス端子のボックス部を不要にすることができ、ボックス部を作製するための材料費や加工コストを削減することができる。
【００３０】
また、電線側端子２０にはバネ構造が不要となるため、組立工程などにおいて、バネ部分に電線Ｗを引っ掛けたりバネ部分を潰したりする心配がない。特に電線側端子２０の先端は、オス端子３１と同様なタブ２１を有するだけの単純な構造であるため、従来のボックス部があるときのように潰したり変形を起こしたりする心配がなく、電線側端子２０の管理が容易にできる。
【００３１】
また、バネ状端子１０が略Ｍ字形の単純な形状に形成されているので、安価に製作することができるし、第１バネ部１１と第２バネ部１２が、片端スライド式の両持バネとして端子収容室２内に収容されているので、強いバネ荷重を発生することができ、電線側端子２０およびオス端子３１との電気接触性能を良好に保つことができる。また、バネ状端子１０は、第１バネ部１１と第２バネ部１２の連結されている裾部１１ｃ、１２ａを固定するだけでよいので、インサート成形や圧入の別を問わず、組み付けが簡単にできる。
【００３２】
なた、バネ状端子１０の第１バネ部１１を、第１バネ部１１の頂点１１ｂと端子収容室２の天井壁２ｂとの間に、後から挿入されて来たオス端子３１を挟持するように構成することもできる。そうした場合は、よりバネ状端子１０とオス端子３１との電気接触の安定を図ることができる。
【図面の簡単な説明】
【００３３】
【図１】本発明の実施形態のコネクタ装置の第２コネクタ側の組立前の構成を示す側断面図である。
【図２】同実施形態のコネクタ装置を嵌合しようとしている状態を示す側断面図である。
【図３】前記第２コネクタの外観斜視図で、（ａ）は前面側、（ｂ）は後面側の構成を示す斜視図である。
【符号の説明】
【００３４】
１  第２コネクタ
１Ａ  第２コネクタハウジング
２  端子収容室
２ａ  底壁（内壁）
２ｂ  天井壁（内壁）
５  メス端子
１０  バネ状端子
１１  第１バネ部
１１ａ，１１ｃ  裾部
１１ｂ  頂点
１２  第２バネ部
１２ａ，１２ｃ  裾部
１２ｂ  頂点
２０  電線側端子
２１  タブ
２５  電線接続部
３０  第１コネクタ
３１  オス端子
【図１】
2010092640.tif 000003
【図２】
2010092640.tif 000004
【図３】
2010092640.tif 000005